(57)【要約】【課題】装着した状態でも作業が行い易い手袋及び指サックを提供する。【解決手段】  手袋１であって、手指を覆う手指部２と、掌の面を覆う掌側部４と、手の甲の面を覆う甲側部５を備え、少なくとも一つの前記手指部２は、前記手指の前記掌側の面である手指掌面を少なくとも覆う第一面部６と、前記手指の前記手の甲側の面である手指甲面を少なくとも覆う第二面部７を少なくとも備え、前記第一面部６は、前記手指の側面の少なくとも一方の指先側の部分を覆うものであり、前記第一面部６と前記第二面部７が接合される部分である境界の前記指元側の部分は、前記境界の前記指先側の部分よりも前記手指掌面側に位置し、前記第一面部６の、前記手指と向かい合う面とは反対側の表面の摩擦抵抗は、前記第二面部７の前記表面の摩擦抵抗よりも大きいことを特徴とする手袋１。【選択図】  図１
2019112741.tif 000002
【特許請求の範囲】
【請求項１】
使用者の手指を少なくとも覆う手袋であって、
前記手指を覆う手指部と、
前記手指の付け根である指元から手首までの掌側の面を覆う掌側部と、
前記指元から前記手首までの手の甲側の面を覆う甲側部を備え、
少なくとも一つの前記手指部は、
前記手指の前記掌側の面である手指掌面を少なくとも覆う第一面部と、
前記手指の前記手の甲側の面である手指甲面を少なくとも覆う第二面部と、
を少なくとも備え、
前記第一面部は、
前記手指掌面と前記手指甲面の間の前記手指が延びる方向に延びる前記手指の側面の、少なくとも一方の指先側の部分を覆うものであり、
前記第一面部と前記第二面部が接合される部分である境界の前記指元側は、前記境界の前記指先側よりも前記手指掌面側に位置し、
前記第一面部の、前記手指と向かい合う面とは反対側の表面の摩擦抵抗は、前記第二面部の前記表面の摩擦抵抗よりも大きいことを特徴とする
手袋。
【請求項２】
前記手指部の前記手指甲面側の前記指先側であって、前記手指の爪に対応する部分には、
少なくとも前記第二面部よりも曲げ剛性の高い指先部が設けられていることを特徴とする請求項１に記載の手袋。
【請求項３】
前記指先部は、
前記手指が延びる方向と交わる方向に延び、前記爪の前記指先側の端部である爪先に対応する部分に位置する第一の線状部と、
前記第一の線状部の両端から前記爪の付け根に対応する部分まで略平行に延びる一対の第二の線状部を備えていることを特徴とする
請求項２に記載の手袋。
【請求項４】
前記指先部は、
一方の前記第二の線状部の前記爪の付け根側の端部から、他方の前記第二の線状部の前記爪の付け根側の端部に向かい、前記爪の付け根に対応する部分に沿って伸びる第三の線状部を備えていることを特徴とする
請求項３に記載の手袋。
【請求項５】
前記指先部は、
前記爪に対応する領域に樹脂素材が塗布された樹脂部を備えていることを特徴とする
請求項２から請求項４のいずれか一項に記載の手袋。
【請求項６】
前記指先部は、前記爪に対応する領域に設けられた板状部材を備えていることを特徴とする
請求項２から請求項５のいずれか一項に記載の手袋。
【請求項７】
前記手指部の前記掌側の面の前記指先側の端部の所定領域に、前記第一面部よりも曲げ剛性の高い指腹先部が備えられていることを特徴とする
請求項２から請求項６のいずれか一項に記載の手袋。
【請求項８】
前記指腹先部と前記指先部の前記指先側のそれぞれの端部は、前記爪先と対応する位置において当接し、
前記指先部は、前記爪先と対応する位置から前記手指が伸びる方向に延びる爪先部を備えていることを特徴とする
請求項７に記載の手袋。
【請求項９】
前記指腹先部と前記指先部は一体として構成されていることを特徴とする
請求項７または請求項８に記載の手袋。
【請求項１０】
前記第一面部は、前記第二面部とは異なる素材から構成されていることを特徴とする
請求項１から請求項９のいずれか一項に記載の手袋。
【請求項１１】
前記第一面部は、単繊維径が２０００ｎｍ以下の第１の糸と、前記単繊維径が前記第1の糸よりも大きな第２の糸を少なくとも含む繊維素材から構成されていることを特徴とする
請求項１から請求項１０のいずれか一項に記載の手袋。
【請求項１２】
前記第一面部の前記手指掌面の前記指先側を覆う部分は、
導電性を有する繊維素材を含むことを特徴とする請求項１から請求項１１のいずれか一項に記載の手袋。
【請求項１３】
前記手指部の前記指先側の領域に、導電性を有する素材から構成された被覆層が配置されていることを特徴とする請求項１から請求項１２のいずれか一項に記載の手袋。
【請求項１４】
前記甲側部には、前記手袋を前記使用者の手に固定する際に用いられる布状の固定部が備えられており、
前記固定部の、前記甲側部と向かい合う面には、前記甲側部の所定領域に着脱可能に貼付される第一の貼付面が備えられ、
前記甲側部の所定領域には、第二の貼付面が備えられており、
前記第二の貼付面の前記手指が延びる方向の長さは、前記手首と前記指元との間の長さと略同一であることを特徴とする請求項１から請求項１３のいずれか一項に記載の手袋。
【請求項１５】
使用者の手指の指先を少なくとも覆う指サックであって、
前記手指の掌側の面である手指掌面の少なくとも前記指先側の一部を覆う第一面部と、
前記手指の手の甲側の面である手指甲面の少なくとも前記手指の付け根側である指元側の一部を覆う第二面部と、
を少なくとも備え、
前記第一面部は、
前記手指掌面と前記手指甲面の間の前記手指が延びる方向に延びる前記手指の側面の、少なくとも一方の前記指先側を覆うものであり、
前記第一面部の、前記手指と向かい合う面とは反対側の表面の摩擦抵抗は、前記第二面部の前記表面の摩擦抵抗よりも大きいことを特徴とする
指サック。
【請求項１６】
前記第一面部と前記第二面部が接合される部分である境界の前記指元側は、前記境界の前記指先側よりも前記手指掌面側に位置することを特徴とする
請求項１５に記載の指サック。
【請求項１７】
前記第一面部は、単繊維径が２０００ｎｍ以下の第１の糸と、前記単繊維径が前記第１の糸よりも大きな第２の糸を少なくとも含む繊維素材から構成されている請求項１５または１６記載の指サック。
【発明の詳細な説明】
【技術分野】
【０００１】
本発明は、装着した状態で作業のしやすい手袋及び指サックに関する。
【背景技術】
【０００２】
ヒトの手指は物を掴んだり、ねじったりするなど、物との接触を介して複雑な動作を行う部分であり、生体機能が発達している部位である。この手指の皮膚は、他の皮膚と同様に薄膜の皮脂で覆われている。また、手指の指腹側（以降において「掌側」とも記載する。）の表面には指紋があり、物を掴み易くなっている。即ち、ヒトの手指には物を掴むための形と機能が備わっている。しかし、日常生活において、手指が物理的、あるいは化学的なストレスに晒されることによって、しばしば手指に変化が生じることがある。典型的には指先から皮脂が欠乏し、手湿疹を生じたりする。この結果、指腹部では指紋が失われ、物を掴む機能が損なわれ、健常人であっても日常生活に支障を来す場合がある。
【０００３】
また、がん薬物療法などが行われる患者の体表には変化が現れやすいことが知られている。その様な患者では、頭皮では脱毛が生じる一方、手指では末梢神経障害が生じることもある。この様な場合、患者はしびれを感じたり、温痛覚に変化が現れて冷感を痛みに感じたりすることがあり、場合によっては爪や指紋が失われてしまうこともある。ヒトの爪や指紋は、物が手指から滑ることを防ぎ、物を掴むための機能を有するものであるため、がん薬物療法等によって手指から爪や指紋が消失してしまうと、その患者は、物を掴むことが難しくなってしまう。更には、末梢神経障害が生じることによってしびれを感じたり、温痛覚に変化が現れて冷感を痛みに感じたりする様な場合には、その患者は物を掴みにくいだけでなく、物に触るだけで苦痛を伴う場合もある。この様な場合には、患者の生活の質（ＱＯＬ）が著しく低下してしまう。
【０００４】
上記の様な場合には、手指に生じる掴みにくさを軽減したり、痛みを軽減したりする目的で、手袋や指サックを着用することがある。また、健常人であっても、作業等を行う際に、外部からの刺激などから手や手指を保護する目的で、手袋や指サックを着用する場合がある。
【０００５】
一方、手袋や指サックを装着した状態で、例えば物を掴むなどの作業を行うと、通常の手袋や指サックの表面の摩擦抵抗は手指の表面と比較して小さいため、手袋の表面と接触する物が滑ってしまい作業が行いにくい。このような問題を解決することを目的として、滑り止めが備えられたり、物と接触する部分に摩擦抵抗の高い素材が用いられたりした手袋が知られている（例えば、特許文献１、２参照。）。
【先行技術文献】
【特許文献】
【０００６】
【特許文献１】特開２０１２−１３５４００号公報
【特許文献２】特開２０１０−４３３８２号公報
【発明の概要】
【発明が解決しようとする課題】
【０００７】
しかしながら特許文献１に記載の手袋は、ゴルフ用の手袋であって細かい動作が行いにくく、日常生活には使いにくいという問題があった。また、特許文献２に記載の手袋では、小片の滑り防止体が所定の間隔で設けられているため、当該防止体の間隔よりも小さな物を掴んだり、触ったりすることが難しく、指先を使うような細かな作業は行いにくいという問題があった。
【０００８】
本発明は、上記の課題を解決するためになされたものであって、装着した状態でも作業が行い易い手袋、及び指サックを提供することを目的とする。
【課題を解決するための手段】
【０００９】
上記目的を達成するために、本発明は、以下の手段を提供する。
本発明の第１の態様に係る手袋は、使用者の手指を少なくとも覆う手袋であって、前記手指を覆う手指部と、前記手指の付け根である指元から手首までの掌側の面を覆う掌側部と、前記指元から手首までの手の甲側の面を覆う甲側部を備え、少なくとも一つの前記手指部は、前記手指の前記掌側の面である手指掌面を少なくとも覆う第一面部と、前記手指の前記手の甲側の面である手指甲面を少なくとも覆う第二面部とを少なくとも備え、前記第一面部は、前記手指掌面と前記手指甲面の間の前記手指が延びる方向に延びる前記手指の側面の、少なくとも一方の指先側の部分を覆うものであり、前記第一面部と前記第二面部が接合される部分である境界の前記指元側は、前記境界の前記指先側よりも前記手指掌面側に位置し、前記第一面部の、前記手指と向かい合う面とは反対側の表面の摩擦抵抗は、前記第二面部の前記表面の摩擦抵抗よりも大きいことを特徴とする。
【００１０】
本発明の第２の態様に係る指サックは、使用者の手指の指先を少なくとも覆う指サックであって、前記手指の掌側の面である手指掌面の少なくとも前記指先側の一部を覆う第一面部と、前記手指の手の甲側の面である手指甲面の少なくとも前記手指の付け根側である指元側の一部を覆う第二面部とを少なくとも備え、前記第一面部は、前記手指掌面と前記手指甲面の間の前記手指が延びる方向に延びる前記手指の側面の、少なくとも一方の前記指先側を覆うものであり、前記第一面部の、前記手指と向かい合う面とは反対側の表面の摩擦抵抗は、前記第二面部の前記表面の摩擦抵抗よりも大きいことを特徴とする。
【発明の効果】
【００１１】
本発明の第１の態様に係る手袋、及び本発明の第２の態様に係る指サックによれば、手指の掌側の面及び指先側の側面を覆う部分の摩擦抵抗が大きいため、手袋、及び指サックを装着した状態でも作業が行い易いという効果を奏する。
【図面の簡単な説明】
【００１２】
【図１】本発明の第１の実施形態に係る手袋を掌側から見た正面図である。
【図２】図２（ａ）は、本発明の第１の実施形態に係る手袋の手指部の一例を示す斜視図である。図２（ｂ）は、本発明の第１の実施形態に係る手袋の手指部の他の一例を示す斜視図である。図２（ｃ）は、本発明の第１の実施形態に係る手袋の手指部の異なる他の一例を示す斜視図である。
【図３】図３（ａ）は、本発明の第１の実施形態に係る手袋の一つの手指部を指先側から見た図である。図３（ｂ）は、本発明の第１の実施形態に係る手袋の他の手指部を指先側から見た図である。
【図４】図４（ａ）は本発明の第１の実施形態に係る手袋を、手の甲側から見た背面図の一例である。  図４（ｂ）は、本発明の第１の実施形態に係る手袋を、手の甲側から見た背面図の他の一例である。
【図５】図５（ａ）は、本発明の第２の実施形態に係る手袋の手指部の一例を示す斜視図である。図５（ｂ）は、本発明の第２の実施形態に係る手袋の手指部の他の一例を示す斜視図である。
【図６】図６（ａ）は、本発明の第３の実施形態に係る手袋の、手指部の一例を示す斜視図である。図６（ｂ）は、本発明の第３の実施形態に係る手袋の、手指部の他の一例を示す斜視図である。図６（ｃ）は、本発明の第３の実施形態に係る手袋の、手指部の他の一例を示す斜視図である。
【図７】図７（ａ）は、本発明の第３の実施形態に係る手袋の、一つの手指部を指先側から見た図である。図７（ｂ）は、本発明の第３の実施形態にかかる手袋の、他の手指部を指先側から見た図である。
【図８】図８（ａ）は、本発明の第３の実施形態の変形例に係る手袋の、手指部の一例を示す斜視図である。図８（ｂ）は、本発明の第３の実施形態の変形例に係る手袋の、手指部の他の一例を示す斜視図である。図８（ｃ）は、本発明の第３の実施形態の変形例に係る手袋の、手指部を掌側から見た図の一例である。図８（ｄ）は、本発明の第３の実施形態の変形例に係る手袋の、手指部を掌側から見た図の他の一例である。
【図９】本発明の第４の実施形態に係る手袋の手指部の、掌側からみた正面図である。
【図１０】図１０（ａ）は、本発明の第５の実施形態に係る指サックの一例を示す斜視図である。図１０（ｂ）は、本発明の第５の実施形態の変形例に係る指サックを示す斜視図である。
【発明を実施するための形態】
【００１３】
〔第１の実施形態〕
以下、本発明の第１の実施形態に係る手袋１について、図１から図４を参照して説明をおこなう。なお、以降の説明において、前後、左右、上下の方向は、特に断りの無い限り図中に示した方向とする。また、使用者の手、あるいは手指と向かい合い接触する側の面、即ち手袋１の内側の面を裏面と記載する。そして手袋の裏面の反対側の面、即ち手袋１の外側の面を表面と記載する。
【００１４】
１．全体の構成
はじめに、主に図１を参照して本実施形態に係る手袋１の全体の構成について説明する。なお図１には、説明のために右手用の手袋１を示しているが、特に右手用に限定するものではない。左手用の手袋１の構成は、右手用の手袋１と左右が対称となっている以外は同一である。本実施形態では右手用の手袋１を例に以降の説明を行い、左手用の手袋１についてはその説明を省略する。
【００１５】
手袋１は、所定の形状に裁断された複数の布材が縫製されて形成されたものであり、手指部２ａ〜２ｄ、親指部３、掌側部４、及び甲側部５から主に構成されている。
掌側部４は、使用者の手の掌側の面の、手首から手指の付け根（以降において「指元」とも記載する。）の間を覆う部分である。また、甲側部５は、使用者の手の甲側の面の、手首から指元の間を覆う部分である。この掌側部４と甲側部５は、それぞれの左右の辺が互いに縫製され、使用者の手の手首から指元までの部分全体を覆う様に構成されている。なお、図１において、甲側部５は図示されていない。
【００１６】
掌側部４及び甲側部５の手首側（図１における後側）の端部は、使用の際に使用者の手が挿入される開口部１０となっている。この開口部１０は、使用者が手袋１を装着しやすいように、使用者の手の左右の幅よりもその直径（左右の横幅）が大きくなる様に形成されている。なお、更に装着を容易にするため、甲側部５の一部に、開口部１０から前側（以降に於いて「指先側」とも記載する。）に向かう方向に、所定の長さの切り込みが設けられていても良い。
【００１７】
掌側部４及び甲側部５の前側（以降において「指先側」とも記載する。）の部分から、手指部２ａ〜２ｄが、それぞれ指先側に向かって延びている。この手指部２ａ〜２ｄは、使用者の各手指がそれぞれ挿入される部分である。具体的には、手指部２ａは使用者の人差し指が、手指部２ｂは使用者の中指が、手指部２ｃは使用者の薬指が、手指部２ｄは使用者の小指が挿入される部分である。なお、手指部２ａ〜２ｄの指先側の端部は閉じられており、挿入された手指の指先の部分が露出しない様になっている。なお、以降の説明において、手指部２ａ〜２ｄを総称して「手指部２」とも記載する。
【００１８】
掌側部４及び甲側部５の右側の部分から、親指部３が右側に傾き指先側に向かって延びている。親指部３は、挿入された親指を覆う部分である。手指部２と同様に、親指部３の指先側の端部は閉じられて、親指の指先の部分が露出しない様になっている。
【００１９】
２．手指部２ａの構成
次に図２〜図３を主に参照し、手指部２ａについて説明を行う。なお説明のために、図２（ａ）〜（ｃ）では、使用者の手指の爪の左右の側にある皮膚の部分（以降において「側爪郭」とも記載する。）と、その爪の左右の辺との境目にある溝（以降において「爪溝」とも記載する。）に対応する部分が破線ｇにて示されている。
【００２０】
手指部２ａは、指腹部６ａ、指甲部７ａ、及び左側面部８ａから主に構成されている。指腹部６ａは、使用者の人差し指の指腹の面（以降において「手指の掌側の面」とも記載する。）と、人差し指の右側の側面の指先側の部分を主に覆う部分であり、手指掌側部６１ａと側面部６２ａから構成されている。また、指甲部７ａは、人差し指の手の甲側の面と、人差し指の右側の側面の指元側の一部を主に覆う部分であり、手指甲側部７１ａと側面部７２ａから構成されている。
【００２１】
ここで手指の指腹の面（以降において「手指掌面」とも記載する。）とは、使用者の手指の掌側の面であって、当該手指の指元から、その手指の指先側の端部（以降において「爪先」とも記載する）までの間の面をいう。また、手指の手の甲側の面（以降において「手指甲面」とも記載する。）とは、使用者の手指の手の甲側の面であって、当該手指の指元から、その爪先までの間の面をいう。また、手指の側面とは、手指掌面と手指甲面の間にあって、当該手指が伸びる方向に延びる左右の側面のことを言う。この側面は、側中部とも呼ばれる部分である。換言すれば、手指の側面（側中部）とは、手指を伸ばした状態でその手指を右側、あるいは左側から見た際に見える手指掌面と手指甲面の間にある左右の面を言う。
【００２２】
指腹部６ａの手指掌側部６１ａは、人差し指の指腹側の面を覆う部分である。側面部６２ａは、人差し指の親指側の側面（以降において「右側の側面」とも記載する。）の指先側の一部を覆う部分である。換言すれば、側面部６２ａは、手指掌側部６１ａの指先側の右側の部分から、手の甲の面側に向かって延びて、人差し指の指先側の右側の側面の一部を覆う部分である。なお、本実施形態における指腹部６ａが、特許請求の範囲における第一面部とされている。
【００２３】
指甲部７ａの手指甲側部７１ａは、人差し指の手の甲側の面を覆う部分である。また、側面部７２ａは、人差し指の指元側の右側の側面の一部を覆う部分である。換言すれば、側面部７２ａは、手指甲側部７１ａの指元側の右側の部分から、掌側に向かって延びて人差し指の指元側の右側の側面の一部を覆う部分である。なお、側面部６２ａと側面部７２ａは、それぞれが向かい合う辺の部分にて縫製され、人差し指の右側の側面全体を覆う様に形成されている。本実施形態における指甲部７ａが、特許請求の範囲における第二面部とされている。
【００２４】
左側面部８ａは、人差し指の中指側の側面（以降において「左側の側面」とも記載する。）を主に覆う部分である。なお左側面部８ａは、図２において図示されていない。左側面部８ａの手の甲側の辺は、指甲部７ａの手指甲側部７１ａの左側の辺と縫製されている。また、左側面部８ａの掌側の辺は、指腹部６ａの手指掌側部６１ａの左側の辺と縫製されている（図３（ａ）参照）。
【００２５】
以降において、主に図２（ａ）及び図３を参照して、手指部２ａの手指の右側の側面を覆う部分（以降において「右側面部」とも記載する。）について説明を行う。なお図２（ａ）〜（ｃ）では、説明のために手指部２ａの使用者の人差し指の指先側の先端（爪先）に相当する部分が破線ａａにて示されている。また、使用者の人差し指の第一関節に相当する部分が破線ｂｂにて、手指の二関節に相当する部分が破線ｃｃにて、また、使用者の人差し指の指元に相当する部分が破線ｄｄにてそれぞれ示されている。更に、破線ａａ，ｂｂ，ｃｃ及び破線ｄｄのそれぞれの間が、範囲Ｘ、範囲Ｙ、範囲Ｚとして示されている。
【００２６】
手指部２ａの右側面部は、側面部６２ａと側面部７２ａから構成されている。具体的には、手指部２ａの手指の先端に対応する部分から、その第一関節に対応する部分の間（範囲Ｘ）では、側面部６２ａが、人差し指の右側の側面を覆う様に構成されている（図２（ａ）及び図３（ａ）参照）。また、手指部２ａの人差し指の第一関節に対応する部分から、第二関節に対応する部分の間（範囲Ｙ）では、側面部６２ａ及び側面部７２ａが、それぞれが人差し指の右側の側面を覆う様に構成されている。より詳細に説明すると、この間（範囲Ｙ）では、側面部６２ａが側面を覆う部分が、指元に向かうにつれてその面積が狭くなるように形成され、側面部７２ａが側面を覆う部分は、指元側に向かうにつれその面積が広くなるように形成されている。換言すれば、側面部６２ａと側面部７２ａの境界が、指元に向かうに従って手の甲側から指腹側に向かって傾いてそれぞれが縫製されている（図２（ａ）参照）。また、手指部２ａの、第二関節に相当する部分から、指元に相当する部分の間（範囲Ｚ）では、側面部７２ａが、人差し指の右側の側面を覆う様に構成されている。
【００２７】
なお手指部２ａの右側面部は、側面部６２ａが人差し指の指先側の側面の一部を少なくとも覆う様にされていればよく、上記に限定される訳ではない。例えば側面部６２ａが、手指部２ａの人差し指の先端に相当する部分から第二関節に相当する部分の間（図２（ｂ）の範囲Ｘ及び範囲Ｙ）を覆う様に形成されていたり、あるいは側面部６２ａが更に延びて、人差し指の甲側の面の一部を覆う様に形成されていたりしてもよい（図２（ｂ）参照）。また、側面部６２ａが、人差し指の先端に相当する部分から第一関節に相当する部分の間（図２（ｃ）の範囲Ｘ）において、指先側の側面の掌側の一部を覆う様に形成されていてもよい（図２（ｃ）参照。）。
【００２８】
指甲部７ａ及び左側面部８ａは、柔軟性があって通気性の良い布材から構成されている。本実施形態では、指甲部７ａ及び左側面部８ａが、綿繊維からなる布材（以降において「綿布材」とも記載する。）から構成されている例に適用して以降の説明を行う。なお、なお指甲部７ａ及び左側面部８ａを構成する布材は、柔軟性を有して通気性がよく、手袋の用途に適した所定の強度を有するものであれば、他の公知の布材であってもよい。
【００２９】
指腹部６ａは、指甲部７ａ及び左側面部８ａに用いられる布材よりも摩擦抵抗の大きな布材から構成されている。ここで、摩擦抵抗の大きな布材とは、当該布材を介して物を掴んだり、物をめくったりする作業を行う際に、当該布材と接触した物が滑らずに無理なく作業を行うことができる程度の摩擦が、布材とその物との間で生じるものをいう。例えば使用者が、手袋１を装着した手で物を掴んで持ち上げる際に、手袋１を装着せずにその物を持ち上げる場合と同じ程度の力で持ち上げることができる摩擦力が、その物と布材との間で生じるものをいう。あるいは、手袋１を装着した状態で、使用者が紙をめくるなどの作業を行う際に、手袋１と紙が滑ることなく容易にその紙をめくることができる程度の摩擦が、紙との間に生じる布材をいう。
【００３０】
本実施形態では、指腹部６ａが公知のナノ繊維素材からなる布材から構成されている例に適用して以降の説明を行う。ここでナノ繊維素材とは、その繊維の直径（以降において「単位繊維径」とも記載する。）が、２０００ｎｍ以下の糸Ａと、単繊維径が糸Ａより大きな糸Ｂを少なくとも含む繊維素材のことをいう。なお、ナノ繊維素材に含まれる糸Ａの単位繊維径は、１０〜１５００ｎｍであることが好ましく、糸Ｂの単繊維径は１．５μｍより大きいものであることが好ましい。このナノ繊維素材を用いて織り上げて束ねると、その表面積が通常の繊維を用いた場合と比べて非常に大きくなると共に、その表面に微少な凹凸が生じる。このため、このナノ繊維素材からなる布材とその布材が接触する物との間に、あたかも昆虫やヤモリの脚の裏の様な接着点が生じ、互いの接着力（表面の摩擦抵抗）が高まり、当該布材と物との間において滑りが生じにくくなる。以降において、このナノ繊維素材からなる布材を、「ナノ繊維布材」とも記載する。なおナノ繊維布材は、糸Ａ、糸Ｂ以外の繊維素材が含まれるものであってもよい。また、糸Ａはポリエステルフィラメント糸もしくはナイロンフィラメント糸であることが好ましく、海成分と島成分とからなる海島型複合繊維の海成分を溶解除去して得られた糸条であってもよい。糸Ｂはポリエステルフィラメント糸もしくはナイロンフィラメント糸であることが好ましく、その製法については限定しない。なお、このナノ繊維布材は、起毛処理やバフ処理を行うことで、その表面の摩擦抵抗を更に高めることができる。このため本実施形態にて用いられるナノ繊維布材は、起毛処理やバフ処理が行われたものであることが好ましいが、そのような処理が行われていないものであってもよい。
【００３１】
指腹部６ａは、ナノ繊維布材の他、表面摩擦抵抗の大きな他の公知の布材や、一般的な手袋に用いられる布材に公知の滑り止め材などを塗布するなどの処理を行って表面の摩擦抵抗を大きくした布材によって構成されても構わない。あるいは他の公知の手段により摩擦抵抗を大きくした素材から構成されても構わない。
【００３２】
３．手指部２ｂ〜２ｄの説明
続いて、図１及び図３を参照し、手指部２ｂ〜２ｄについて説明を行う。なお、手指部２ｂ〜２ｄはいずれも同一の構成をしているため、手指部２ｂを例に説明を行い、他の手指部の説明は省略する。
【００３３】
手指部２ｂは、指腹部６ｂ、指甲部７ｂ、左側面部８ｂ、及び右側面部９ｂから主に構成されている。指腹部６ｂは中指の指腹側の面を覆う部分であり、指甲部７ｂは、中指の手の甲側の面を覆う部分である。また、左側面部８ｂは中指の薬指に向かう側面を覆う部分であり、右側側面部９ｂは、中指の人差し指に向かう側面を覆う部分である。指腹部６ｂの左右の辺は、左側面部８ｂ、及び右側面部９ｂの掌側の辺にそれぞれ縫製されている。また、指甲部７ｂの左右の辺は、左側面部８ｂ、及び右側面部９ｂの手の甲側の辺にそれぞれ縫製されている（図３（ｂ）参照）。
【００３４】
本実施形態では、指甲部７ｂ、左側面部８ｂ、及び右側面部９ｂが、指甲部７ａ及び左側面部８ａと同じ綿布材から構成されており、また、指腹部６ｂが、指腹部６ａと同じナノ繊維布材から構成されている例に適用して以降の説明を行う。
【００３５】
４．親指部３の説明
親指部３は、指腹部６ｅと指甲部７ｅから主に構成されている。指腹部６ｅは、親指の指腹側の部分を覆う部分であり、指腹部６ａと同じナノ繊維布材から構成されている。指甲部７ｅは、親指の手の甲側の面を覆う部分であり、左側面部８ａと同じ綿布材から構成されている。親指部３は、指腹部６ｅと指甲部７ｅが、それぞれが縫製されて、一方の開口を閉じた円筒形状に形成されている。なお指腹部６ｅ、及び指甲部７ｅの指元側の端部は、掌側部４及び甲側部５に縫製されている。
【００３６】
掌側部４は、指腹部６ａと同じナノ繊維布材から構成されている。なお、本実施形態では、掌側部４と指腹部６ａ〜６ｄが一枚の布材から構成されている例に適用して以降の説明を行う。即ち、掌側部４と指腹部６ａ〜６ｄが、一枚のナノ繊維布材が裁断されて一体として形成されている例に適用して以降の説明を行う。なお、掌側部４と指腹部６ａ〜６ｄがそれぞれ個別に裁断され、指腹部６ａ〜６ｄの指元側の端部が掌側部４の指先側の端部の辺にそれぞれ縫製された構成としても構わない。
【００３７】
甲側部５は、指甲部７及び左側面部８ａと同じ綿布材から構成されている。本実施形態では、甲側部５と指甲部７ａ〜７ｄが一枚の綿布材から構成されている例に適用して以降の説明を行う。即ち、甲側部５と指甲部７ａ〜７ｄが、一枚の綿布材が裁断されて一体として形成されている例に適用して以降の説明を行う。なお、甲側部５と指甲部７ａ〜７ｄがそれぞれ個別に裁断され、指甲部７ａ〜７ｄの指元側の端部が、甲側部５の指先側の端部の辺にそれぞれ縫製された構成としても構わない。
【００３８】
なお、表面摩擦抵抗が大きな布材であれば、指腹部６ａ〜６ｅ、及び掌側部４の一部、あるいはそれぞれが、異なる布材によって構成されていてもよい。また、柔軟性を有して通気性がよく、手袋の用途に適した所定の強度を有する等、所定の要件を満たす布材であれば、指甲部７ａ〜７ｅ、及び甲側部５等の一部、あるはそれぞれが、異なる布材から構成されていてもよい。
【００３９】
甲側部５には、使用者の手に装着した手袋１を固定する際に用いられる固定部２０が設けられている。固定部２０は、矩形をした布状の部材であり、その左右方向の幅は使用者の小指から中指までの幅と略同一である。また、固定部２０の手首側から指先に向かう方向の長さは、手首から指の付け根の近傍、即ち指の付け根の関節である中手指節関節の近傍までの長さと略同一となっている。
【００４０】
この固定部２０は、その一方の辺２１が、甲側部５に縫製されて開閉自在に固定されている。即ち、固定部２０は、甲側部５に固定された辺２１を中心として、甲側部５に対して任意に近接、離間できる様に固定されている。本実施形態では、固定部２０の辺２１が、甲側部５の小指側の端部に縫製されて固定されている例に適用して以降の説明を行う（図４（ａ）参照。）。なお辺２１が、甲側部５の親指側の部分に固定されていても良い（図４（ｂ）参照。）。
【００４１】
固定部２０の甲側部５に向かう面には、固定部２０と略同一の大きさの貼付部２２が設けられている。また甲側部５の、貼付部２２に対応する部分には、貼付部２３が設けられている。なお、貼付部２２、２３は図４（ａ）、（ｂ）において図示されていない。
【００４２】
この貼付部２２、２３は、接触させると互いに着脱自在に貼り付く、公知の面ファスナーである。この貼付部２２、２３を設けることで、使用者が手袋１を装着した後に、固定部２０を手首に締め付ける様に引っ張って甲側部５に固定し、手袋１を使用者の手に固定することができる。なお、本実施形態における貼付部２２が、特許請求の範囲における第一の貼付面と、本実施形態における貼付部２３が、特許請求の範囲における第二の貼付面とされている。
【００４３】
なお、本実施形態に係る手袋１では、この貼付部２２、２３に、帝人フロンティア社製の面ファスナーである「ファスナーノ」（登録商標）が用いられている。この「ファスナーノ」は、ナノ繊維からなるパイル地の生地と、ポリエステルの立毛生地から構成されている。本実施形態では、貼付部２２、２３のいずれか一方に、ナノ繊維からなるパイル地の生地が用いられ、他方にポリエステルの立毛生地が用いられている例に適用して以降の説明を行う。
【００４４】
この「ファスナーノ」は、ナノ繊維が有する摩擦力を活かし、水平方向への力（左右方向）に対しては高い貼付性を有して剥がれにくく、垂直方向（上下方向）への力に対しては簡単に剥がれやすいという特性を有している。このため、固定部２０を甲側部５にしっかりと固定できる一方、固定部２０を甲側部５から容易に引き剥がすことが可能である。
【００４５】
また、「ファスナーノ」は、柔らかなポリエステル素材でできており、一般的な面ファスナーよりも柔軟である。このため、例えば手に障害等を有する患者が、固定部２０によって手袋１をその手に固定する場合であっても、痛みや違和感を覚えにくい。
【００４６】
なお、粘着部２２、２３に用いられる素材は、着脱自在に貼り付けられるものであれば上記に限定される訳ではなく、公知の一般的な面ファスナーや、他の公知の貼付素材を用いたものであっても構わない。
【００４７】
上記の構成からなる手袋１によれば、手指の掌側の面を覆う指腹部６が、摩擦抵抗の大きな布材から構成されている。このため、手袋１を装着した状態で物を掴むなどの作業を行う場合も、接触した物が滑りにくく、作業が行い易い。また、摩擦抵抗の大きな布材から構成された指腹部６が、指先の側面部も覆う様に構成されているため、例えば人差し指を使って紙をめくる動作など、指先をねじる動作を伴う作業なども行いやすい。また、手袋１の物と主に接触する部分に、滑り止め防止体などの構成を設ける必要もないため、細かなものも掴みやすい手袋１を提供することができる。
【００４８】
また、本実施形態に係る手袋１では、指腹部６や掌側部４が表面摩擦抵抗の大きなナノ繊維布材から構成されているため、接触した物が滑りにくく、作業性のよい手袋１となっている。また、指甲部７や甲側部５などの他の部分が綿布材によって構成されているため、通気性がよく安価な手袋１が提供できる。
【００４９】
更に、手袋１は、固定部２０の幅が広く形成され、固定部２０と甲側部５を固定する貼付部２２、２３の面積が広く構成されている。このため、固定部２０と甲側部５の固定位置を比較的広い範囲で任意に変更し、使用者の手首の大きさに合わせて手袋１を固定することができる。従って、例えば自身の手に障害や傷などを有している患者が手袋１を使用する場合には、傷などの部分に不要な圧力がかかることのないよう、固定部２０と甲側部５の固定位置を調節することができる。また、貼付部２２、２３の面積が広いため、その引き剥がしが容易となる様に通常の面ファスナーよりも貼付力の弱い面ファスナーを用いた場合であっても、固定に必要な貼付力を得ることができる。このため、例えば障害等の理由により、固定部２０を引き剥がす指先に力を入れることが難しい使用者であっても、貼付部２２と貼付部２３の引き剥がしが容易であるとともに、手首への固定も可能な手袋１を提供することが可能となる。
【００５０】
なお、本実施形態では、指腹部６ａが人差し指の右側の側面を覆う側面部６２ａを有している構成について説明を行ったが、手指部２ｂ〜２ｄの少なくともいずれかに手指部２ａと同様の構成が設けられていてもよい。例えば手指部２ｂが、中指の指先側の人差し指側の側面を覆う側面部６２ｂが設けられた指腹部６ｂを備えてもよい。この様にすれば、他の指の指先を用いた作業も行いやすい手袋１を提供することが可能となる。また、側面部６ａが、人差し指の左側の側面（中指側の側面）も覆う様にされ、手指の指先側の両側の側面を覆う様に構成されてもよい。この様にすれば、指の両側の側面を用いた作業を行いやすい手袋１を提供することが可能となる。また、手指部２ｂ〜２ｄの少なくとも一部にも同様の構成が設けられてもよい。また手袋１が、所定の手指のみを覆う様に構成されていてもよい。例えば、手袋１が手指部２ａ、２ｂ、及び親指部３のみを備えた構成としてもよい（図４（ｂ）参照。）。この様にすれば、他の手指は開放されるため、圧迫感のより少ない手袋１とすることができる。
【００５１】
〔第２の実施形態〕
次に、本発明の第２の実施形態について図５〜図６を主に参照しながら説明を行う。
本実施形態に係る手袋１Ａの基本構成は、第１の実施形態の手袋１と同様であるが、手指部２の指先側の構成が第１の実施形態と相違している。このため、以降の説明は、主に相違点について説明を行い、第１の実施形態と同一の部分については、同一の符号を付してその説明を省略する。
【００５２】
本実施形態では、手指部２の使用者の手指の爪に相当する部分に、指先部１１が設けられている。以降において、図５を参照して本実施形態に係る手袋１Ａの手指部２ａを例にその説明を行う。
【００５３】
手指部２ａの手指の爪に相当する部分には、人差し指の爪の輪郭を模した略Ｕ字状の指先部１１ａが設けられている。図５（ａ）を参照して説明すると、指先部１１ａは、人差し指の爪先に沿って左右方向に延びる線状部１２ａと、線状部１２ａの両端から指元側に向かって延びる一組の線状部１３ａから構成されている。この線状部１３ａは、使用者の手指の爪溝に対応する部分に設けられている。なお、図５（ａ）において、左側の線状部１３ａは図示されていない。本実施形態では、この線状部１２ａ、１３ａが、指腹部６ａと指甲部７ａの境界部分、及び指甲部７ａと左側面部８ａの境界部分に設けられている例に適用して以降の説明を行う。具体的に説明すると、人差し指の爪先に対応する部分にある手指掌側部６１ａと手指甲側部７１ａとの境界部分に、線状部１２ａが設けられている。また、人差し指の右側の爪溝に対応する位置にある、側面部６２ａと、手指甲側部７１ａの境界部分に、一方の線状部１３ａが設けられている。また、人差し指の左側の爪溝に対応する位置にある、指甲部７ａの手指甲側部７１ａと左側面部８ａの境界部分に他方の線状部１３ａが設けられている。
【００５４】
本実施形態では、指腹部６ａ、指甲部７ａ及び左側面部８ａが縫製される際に、人差し指の爪先に対応する位置にある手指掌側部６１ａと手指甲側部７１ａの境界部分が繰り返し縫製されることで、線状部１２ａが形成されている。また、左右の爪溝に対応する位置にある側面部６２ａと手指甲側部７１ａの境界部分、及び手指甲側部７１ａと左側面部８ａの境界部分が繰り返し縫製されることで、一対の線状部１３ａが形成されている。このようにすることで、指先部１１ａは、指腹部６ａと指甲部７ａ及び左側面部８ａなどの他の部分と比べ、硬く、その曲げ剛性が高くなっている。なお、縫製の際に棒状の芯材を入れるなどの他の公知の方法によって曲げ剛性の高い線状部１１ａが形成されていてもよい。
【００５５】
なお指先部１１ａは、使用者の手指の爪先、及び爪溝に対応する手指部２ａの部分に設けられていればよく、上記の境界とは異なる部分に設けられていてもよい。例えば、指腹部６ａ、指甲部７ａあるいは左側面部８ａの、使用者の手指の爪先、及び爪溝に対応する部分が、ミシン等によって縫製を繰り返される事によって指先部１１ａが形成されてもよい。あるいは、手指の爪先、及び爪溝に対応する部分に、爪の輪郭を模した略Ｕ字状の曲げ構成の高い素材を縫い付ける等の方法によって指先部１１ａが形成されてもよい。この様な指先部１１ａが設けられた手指部２ａでは、作業の際に使用者の指先に加わった力は、指先部１１ａに吸収されたり、指先部１１ａを介して他の部分に分散されたりする。このため、外部からの力が使用者の手指の所定の箇所に集中してしまうことが防がれる。また物を掴む際に、指先部１１ａがあたかも使用者の爪と同じ様に機能して、掴んだ物を支持することも期待できる。具体的には、例えば線状部１２に伝えられた使用者の掴む力の応力が、線状部１３にも分散し、指先部１１全体で、当該物を支えることが期待できる。また、紙などをめくる作業を行う際には、線状部１２を紙などに引っかけてその作業を行うことも可能となる。
【００５６】
なお、手指部２ｂ〜２ｄにも同様に、それぞれの手の甲側の爪に相当する部分に指先部１１ｂ〜１１ｄが設けられている。また、親指部３の親指の爪に相当する部分にも、指先部１１ｅが設けられている。この指先部１１ｂ〜１１ｅは、指先部１１ａと同様に、線状部１２ｂ〜１２ｅ及び線状部１３ｂ〜１３ｅからそれぞれ構成されている。なお、指先部１１ｂ〜１１ｄ及び指先部１１ｅの構成は、指先部１１ａと同一であるため、それらの説明を省略する。また、以降において、指先部１１ａ〜１１ｅを総称して指先部１１と、線状部１２ａ〜１２ｅを総称して線状部１２と、線状部１３ａ〜１３ｅを総称して線状部１３とも記載する。なお、本実施形態における線状部１２が、特許請求の範囲における第一の線状部とされている。また、本実施形態における線状部１３が、特許請求の範囲における第二の線状部とされている。
【００５７】
この様にされた手袋１Ａは、曲げ剛性の高い指先部１１が設けられていることから、手袋１Ａを装着した使用者の指先を保護するとともに、指先を用いた作業が行いやすくなっている。
【００５８】
なお指先部１１は、使用者の指の爪の付け根の部分に相当する位置に、線状部１２、１３と同様の曲げ剛性の高い線状の部分が更に設けられよい（図５（ｂ）参照。）。即ち、線状部１３ａの指元側のそれぞれの端部をつなぎ、爪の付け根に沿うように形成された線状部１４ａが設けられた構成としてもよい。この様にすれば、使用者の爪に相当する部分が、線状部１２ａ〜１４ａによって取り囲まれる様になり、指先部１１ａに加わった力が線状部１２ａ〜１４ａの全体に分散されることになる。このため、使用者の手指の領域に力が集中することが防がれ、使用者の指先を保護することができる。なお、指先部１１ｂ〜１１ｅにも同様に、線状部１４ｂ〜１４ｅが設けられた構成としてもよい。本実施形態における線状得１４ａ〜１４ｅが、特許請求の範囲における第三の線状部とされている。
【００５９】
〔第３の実施形態〕
次に、本発明の第３の実施形態に係る手袋１Ｂについて説明を行う。なお、本実施形態にかかる手袋１Ｂの構成は、第２の実施形態に係る手袋１Ａと同一であるが、手指部２の指先側の構成が相違している。よって以降において、図６及び図７を参照して相違する構成について主に説明を行い、同一の構成については、同一の符号を付してその説明を省略する。
【００６０】
本実施形態における手袋１Ｂの、手指部２の手指の爪に相当する部分には、使用者の手指の爪の形状を模した略平面状の指先部３０が設けられている。本実施形態では、図６（ａ）に示す様に、指甲部７ａの手指の爪に相当する部分に指先部３０が設けられている例に適用して以降の説明を行う。なお、指先部３０は、手指の爪に相当する場所であれば、例えば図６（ｂ）に示すように、指腹部６ａ及び指甲部７ａにまたがって設けられていてもよい。
【００６１】
以降、指先部３０ａについて、手指部２ａを例に、主に図６（ａ）を参照して具体的に説明する。本実施形態に係る手袋１Ｂでは、その指甲部７ａの使用者の手指の爪に対応する部分に、使用者の手指の爪の形状を模した略台形形状の指先部３０ａが設けられている。この指先部３０ａは、指甲部７ａの手指の爪に対応する領域にシリコーン樹脂が塗布されたものである。本実施形態では、指甲部７ａの、手指の爪の輪郭に対応する部分に線状にシリコーン樹脂が塗布され、その内側に、格子状の配置パターンでシリコーン樹脂が塗布されている例に適用して以降の説明を行う。なお、シリコーン樹脂の配置パターンは、必要な曲げ剛性を確保できるのであれば、他の配置パターンであってもよく、あるいは均一に塗布されていてもよい。
【００６２】
なお、本実施形態では、シリコーン樹脂は公知の塗布方法であるシリコンプリントによって塗布される例に適用して説明するが、他の公知の方法によって塗布されてもよい。あるいはシート状の樹脂を貼り付けるなど、他の公知の方法でシリコーン樹脂が所定の場所に配置されていてもよい。
【００６３】
本実施形態では、指先部３０ａに約０．２ｍｍ程度の厚さでシリコーン樹脂が塗布されている例に適用して以降の説明を行う。なお、塗布されたシリコーン樹脂は硬化し、指腹部６ａや指甲部７ａ、あるいは左側面部８ａよりも高い曲がり剛性を有し、曲がりにくくなっている。
【００６４】
手指部２ｂ〜２ｄ及び親指部３の指先側の爪に対応する部分にも、同様に指先部３０ｂ〜３０ｅがそれぞれ設けられている。指先部３０ｂ〜３０ｅの構成は、前述の指先部３０ａと同一であるため、その説明を省略する。なお、以降において、指先部３０ａ〜３０ｅを総称して指先部３０とも記載する。本実施形態における指先部３０が、特許請求の範囲における樹脂部とされている。
【００６５】
この様に構成された手袋１Ｂでは、手指部２の指先側の爪に相当する部分に、所定のパターンでシリコーン樹脂が塗布された指先部３０が設けられている。このため、使用者の手指の指先を保護することができる。また指先部３０は使用者の手指の爪の形状を模した形状となっているため、指先部３０が手指の爪と同じような機能を果たすことが期待できる。このため、例えば指先を用いて物を掴んだりする作業や、紙をめくるなどの作業が行い易くなることが期待できる。更には、指先に加わった力は指先部３０によって分散されて、使用者の手指の爪に相当する部分に伝えられるため、例えば、がん薬物療法によって手指から爪が消失してしまった患者などが手袋１Ｂを使用した場合には、本来爪のある場所にあたかも爪があるような圧力が加えられて刺激が与えられ、指先の神経活動等を可能な限り正常な状態に保つことができることが期待できる。
【００６６】
なお、シリコーン樹脂を、指腹側の指先にも塗布した構成としてもよい。図６（ｃ）及び図７（ａ）を参照して具体的に説明すると、指腹部６ａの指先側の領域に、略三日月形状にシリコーン樹脂が塗布された指腹先部３５ａを設けた構成としてもよい。本実施形態では、この指腹先部３５に約０．０５ｍｍ程度の厚のシリコーン樹脂が水玉模様状のパターンで塗布されている例に適用して説明を行う。なお、シリコーン樹脂は、必要な曲げ剛性が得られるのであれば、他のパターンで塗布されていたり、均一に塗布されていたりしても良い。
【００６７】
この指腹先部３５ａは、指腹先部３５ａの三日月形状の凸状の部分が、指腹部６ａの指先側の左側面部８ａとの境目に沿うように配置され、他方の凹状の部分が指元側を向くように配置されている（図７（ａ）参照。）。なお、指腹先部３５ａの指先側の端部は、指先部３０ａの指先側の端部と接する様に構成されている。この様に指腹先部３５ａを設けることで、指腹部６ａの指先側にも、他の部分よりも曲げ剛性の高い部分が設けられる。
【００６８】
なお、手指部２ｂ〜２ｄ及び親指部３の指腹側の指先にも同様に、指腹先部３５ｂ〜３５ｅが設けられている。図７（ｂ）を参照して手指部２ｂを例に説明をすると、手指掌側部６１ｂの指先側の部分に、略三日月形状をした指腹先部３５ｂが設けられている。また、手指部２ｃ，２ｄ及び親指部３にも同様に指腹先部３５ｃ〜３５ｅが設けられている。以降において指腹先部３５ａ〜３５ｅを総称して指腹先部３５とも記載する。なお、図７（ｂ）では、指腹先部３５の指先側の部分と指先部３０の指先側の部分が離間して配置されている様子が示されているが、指腹先部３５の指先側の部分と指先部３０の指先側の部分がそれぞれ当接する様に構成されてもよい。
【００６９】
この様にされた手袋１Ｂによれば、指腹部６の指先側の掌側の面にも、他の部分よりも曲げ剛性の高い指腹先部３５が設けられているため、指先に加わる力が指先部３５にも分散され、使用者の指先を保護できる様になる。また、例えば使用者の手指の長さが手指部２の長さよりも僅かに短いなどの理由により、手指部２の指先側の部分と、手指部２に挿入された使用者の手指の指先との間に隙間が空いてしまう様な場合には、この指先部３０及び指腹先部３５が、あたかも手指の先端の部分の様に機能することが期待できる。即ち、指先部３０及び指腹先部３５は他の部分と比べて曲げ剛性が高いため、これらの部分でも一定程度の大きさの力を支えることができる。このため、例え手指部２の指先側の端部まで手指が挿入されていない場合であっても、例えば物を掴む際にこの指先部３０及び指腹先部３５が掴んだ物を支える補助となり、あるいは紙などをめくったりする際には、指先部３０及び指腹先部３５が当該紙を支えるため、作業が行いやすい。
【００７０】
なお、指先部３０及び指腹先部３５に使用される樹脂としてはシリコーン樹脂に限定される訳ではなく、所定の強度及び曲がり剛性を有する他の公知の樹脂を用いることも可能である。
【００７１】
本実施形態では、指先部３０に配置されるシリコーン樹脂の厚さが約０．２ｍｍであり、指先部３５に配置されるシリコーン樹脂の厚さが約０．０５ｍｍである例に適用して説明を行ったが、シリコーン樹脂の厚さはこれに限定される訳ではない。指先部３０及び指先部３５に配置されるシリコーン樹脂の厚さとしては、それぞれの厚さの合計が０．０５〜２．００ｍｍであることが好ましく、更にはその合計が０．１０〜１．００ｍｍの厚さであることがより好ましい。なおそれらの厚さは、使用者の用途や状態、及び使用者の装着感等に従って変更してもよく、必要な強度、及び曲がり剛性を得られるのであれば、上記の範囲と異なる厚さであっても構わない。
【００７２】
本実施形態では、手指部２ａ〜２ｄ及び親指部３に、指先部３０が設けられている例に適用して説明を行ったが、その全てに指先部３０が設けられている必要はなく、任意の手指部２、あるいは親指部３に、指先部３０が設けられた構成としてもよい。
【００７３】
〔第３の実施形態の変形例〕
次に図８を参照して、本実施形態の変形例に係る手袋１Ｃについて説明を行う。本変形例の手袋１Ｃの基本構成は上記の実施形態に係る手袋１Ｂと同一であるが、手指の爪に対応する部分の構成が相違している。このため、以降では相違する部分について手指部２ａを例にその説明を行い、同一の構成については同一の符号を付してその説明を省略する。
【００７４】
本変形例における手袋１Ｃの手指部２ａの指先側には、使用者の人差し指の爪に対応する部分に、板状の爪部３２ａが設けられている。この爪部３２ａは、使用者の爪の形状を模して略台形状に形成されたプラスチックなどの公知の樹脂からなる板状部材である。より具体的に説明すると、爪部３２ａの左右方向の幅は、使用者の手指の爪の左右方向の幅と略同一であり、その長さ（手指が伸びる方向である前後方向の長さ）は、手指の爪の長さと略同一である。また爪部３２ａは、使用者の爪と同じ様に、その断面が略Ｕ字状に形成されている。
【００７５】
爪部３２ａは、手指部２ａの手指の爪に対応する部分に、接着剤などの公知の手段によって固定されている。また、手指部２ｂ〜２ｄ及び親指部３にも同様に、爪部３２ｂ〜３２ｅがそれぞれ固定されている。なおこの爪部３２ｂ〜３２ｅの構成は爪部３２ａと同一であるためその説明を省略する。以降において爪部３２ａ〜３２ｅを総称して爪部３２とも記載する。なお、本実施形態における爪部３２が、特許請求の範囲における板状部材とされている。
【００７６】
このように構成された手袋１Ｃでは、板状の爪部３２によって使用者の手の指先を保護することができる。また、爪部３２は手指の爪の形状を模した形をしているため、手指の爪と同様な機能を発揮して、手指部２の指先側に加わった力を爪部３２全体にて支え、物を掴むなどの作業が行いやすくなることが期待できる。
【００７７】
なお、爪部３２の指先側の部分は、その指先側の端部から僅かに内側の部分（僅かに指元側）にて手指部２に固定されてもよい。即ち使用者の爪と同じ様に、爪部３２の指先側の端部の領域が、浮いた状態となる様に手指部２に固定されてもよい。この様にすれば、例えば、紙などをめくったりする作業の際に、その爪部３２の浮いた指先側の領域を紙などに引っかけて作業を行うことができ、細かな作業も行いやすい。
【００７８】
また、爪部３２が、手指部２を指腹側から見た際に、その指先側の端部の所定の領域が手指部２よりも僅かに突出する様に配置されていてもよい（図８（ｃ）参照。）。この様にすれば、例えば、紙などをめくったりする作業の際に、その爪部３２の突出した領域を紙などに引っかけて作業を行うことができ、細かな作業も行いやすくなる。
【００７９】
なお、手指部２ａの指腹部６ａの指先側に、前述の手袋１Ｂの指腹部３５と同様の略三日月形状をした指腹先部３７を設けた構成としてもよい（図８（ｂ）、及び図８（ｄ）参照。）。この指腹先部３７は、指腹部３５と同様に、指腹部６ａなどよりも曲げ剛性の高い素材から構成されている。この様に指腹先部３７を設ければ、爪部３２とともに使用者の指先を更に保護することができる。
【００８０】
また、爪部３２の指先側の端部の所定の領域が、手指部２よりも僅かに突出する様に配置され、指腹先部３７の爪先側の端部が、突出した爪部３２の掌側の面に当接する様に配置されてもよい。この様に構成すれば、爪部３２に加わった力は指腹先部３７にも分散され、外部から加えられた力が爪部３２の部分に集中することを防ぐことができる。
【００８１】
更に、指腹先部３７の爪先側の端部が、爪部３２の掌側の面と接着されたり、あるいは、爪部３２と指腹先部３７が同一の素材から形成されるなどして、爪部３２と指腹先部３７が一体として構成されてもよい。この様にすれば、指腹先部３７が爪部３２を支えることになり、例えば、爪部３２の指先側の部分に掌側から手の甲側に向かう力が加わった場合でも、爪部３２が手の甲側に動いてしまうことが防がれ、爪部３２が手指部２から剥がれにくくなる。このため、例えば爪部３２の指先側の部分を使って物をつまむ様な作業が行いやすくなりる。更にはネックレスの口金などを外す様な、指先に一定の力を加える様な作業も行いやすくなる。なお、本実施形態における爪部３２の突出した領域が特許請求の範囲における爪先部とされている。
【００８２】
〔第４の実施形態〕
次に、本発明の第４の実施形態に係る手袋１Ｄについて、主に図９を参照して説明を行う。本実施形態にかかる手袋１Ｄの構成は第１の実施形態と同様であるが、手指部２の指先側に導電性を有する部分が設けられている点が相違する。従って以降では、異なる構成について主に説明を行い、同一の構成については同一の符号を付してその説明を省略する。
【００８３】
本実施形態に係る手袋１Ｄは、手指部２及び親指部３の指先側の所定の領域に、導電性を有する先部４０ａ〜４０ｅが設けられている（以降において、先部４０ａ〜４０ｅを総称して「先部４０」とも記載する。）。本実施形態では、先部４０が導電ポリマーによるコーティングがされた部分である例に適用して以降の説明を行う。具体的には、手指部２及び親指部３の指先側の掌側、手の甲側及び左右の側面に導電ポリマーによるコーティングがされて、先部４０が構成されている。なお、先部４０の手指部２及び親指部３の指先の掌側は、第３の実施形態における指腹先部３５と同じような略三日月形状をしている。
【００８４】
ここで導電ポリマーとは、導電性を有する公知の化合物であり、衣類などが帯電することを防ぐ目的で布地にコーティングされたり、あるいは繊維に練り込まれたりして用いられるものである。手袋１Ｄは、この導電ポリマーによるコーティングされた先部４０を設けることで、手袋１Ｄに電荷が溜まることを防ぎ、使用者の指先を静電気による刺激から保護することができる。また、先部４０は導電性を有するため、手袋１Ｄを装着したままであっても、先部４０を使って、スマートフォンの操作パネルなどに用いられている静電容量式のタッチパネル等の操作を行うことができる。なお本実施形態における先部４０の導電ポリマーのコーティングが、特許請求の範囲における被覆層とされている。
【００８５】
なお先部４０は、導電糸から構成された布材（ニット）によって構成されてもよい。具体的には、導電糸から構成された布材が、指腹部６や指甲部７の指先側の部分に縫製されて先部４０が形成されてもよい。ここで導電糸とは、カーボンなどの導電性を有する素材が含まれた導電性を有する公知の繊維素材のことをいう。この様にされた先部４０を備えれば、静電気の発生を抑え、静電容量式のタッチパネル等の操作を行うことが可能な手袋１Ｄを提供することができる。
【００８６】
また指腹部６を、導電糸とナノ繊維素材が含まれる布材から構成してもよい。この様にすれば、表面摩擦抵抗が大きく、且つ導電性も有する指腹部６とすることができる。このため、作業が行いやすく、静電気の発生を防止できるとともに、静電容量式のタッチパネル等の操作も可能な手袋１Ｄを提供することができる。
【００８７】
なお、掌側部４やその他の部分に、導電糸を含む布材が用いられた構成としても良い。あるいは、手指部２の指先側以外の部分も導電ポリマーにてコーティングされた構成としてもよい。この様にすれば、更に静電気の発生を防止することが可能な手袋１Ｄとすることができるようになる。なお、図９では、手指部２及び親指部３の指先側の全体、即ち、指先側の掌側の面、左右の側面、及び手の甲側の面に先部４０が設けられている例を示しているが、少なくとも、手指部２及び親指部３の指先の掌側の面に先部４０が設けられていればよいため、手指部２及び親指部３の左右の側面、及び手の甲側の面のいずれかに先部４０が設けられていなくてもよい。また、先部４０の手指部２及び親指部３の指先の掌側の形状は、図９に示す様な三日月形状ではなく、他の形状であってもよい。
【００８８】
〔第５の実施形態〕
次に、本発明の第５の実施形態について図１０を参照しながら説明する。
本実施形態にかかる指サック１００は、使用者の所定の指に装着されて使用されるものであり、その基本構成は、前述の第１の実施形態の手袋１の手指部２と同一である。
【００８９】
以下、図１０（ａ）を参照しながら、指サック１００の構成について説明を行う。
本実施形態では、指サック１００が、右手の人差し指用の指サックである例に適用して以降の説明を行う。なお、装着される手指は、人差し指に限定されるわけではなく、他の指であって良い。また左手の任意の指であっても構わない。なお、左手側用の指サックの構成は、左右対称の形状をしている以外は、右手用の指サック１００と同一である。
【００９０】
本実施形態の指サック１００は、所定の状に裁断された複数の布材が組み合わされ、略円筒形状に縫製されたものである。この円筒形状の一方の開口は、使用者の指が挿入される開口部２００となっている。また、指サック１００の指先側の部分は閉じられており、挿入された手指の指先が外部に露出しない様になっている。
【００９１】
指サック１００は、指腹部１６０、指甲部１７０、及び左側面部１８０から主に構成されている。なお図１０（ａ）において左側面部１８０は図示されていない。指腹部１６０は、使用者の人差し指の指腹側の面と、人差し指の指先側の側面（側中部）の一部を主に覆う部分であり、手指掌側部１６１と側面部１６２から構成されている。手指掌側部１６１は、人差し指の指腹側の面を覆う部分である。側面部１６２は、手指掌側部１６１の指先側の右側の部分から、手の甲側に向かって延びて、人差し指の右側の側面（側中部）の指先側の一部を覆う部分である。
【００９２】
指甲部１７０は、人差し指の手の甲側の面と人差し指の指元側の側面を主に覆う部分であり、手指甲側部１７１と側面部１７２から構成されている。手指甲側部１７１は、人差し指の手の甲側の面を覆う部分である。また、側面部１７２は、側面部１７２の指元側の右側の部分から、手の甲側に向かって延びて、人差し指の右側の側面の指元側の一部を覆う部分である。なお、側面部１６２と側面部１７２は、それぞれ縫製され、人差し指の右側の側面全体を覆うように一体に形成されている。なお、第１の実施形態に係る手袋１と同様に、側面部１６２と側面部１７２の指元側の境界は、指先側の境界よりも掌側に位置している。
【００９３】
左側面部１８０は、人差し指の中指に向かう側面を覆う部分である。左側面部１８０の手の甲側の辺は、手指甲側部１７１の左側の辺と縫製され、左側面部１８０の手の掌側の辺は、手指掌側部１６１の左側の辺と縫製されている。
【００９４】
指甲部１７０及び左側面部１８０は、柔軟性があって通気性の良い布材から構成されている。一方、指腹部１６０は、指甲部１７０及び左側面部１８０の布材よりも大きな摩擦抵抗を有する布材から構成されている。本実施形態では、指腹部１６０がナノ繊維布材によって構成され、指甲部１７０及び左側面部１８０が綿布材によって構成されている例に適用して以降の説明を行う。なお、指腹部１６０を構成する布材としては、ナノ繊維布材の他、表面摩擦抵抗の大きな他の公知の布材や、綿布材などの通常の布材に滑り止め材などを塗布したり、染みこませるなどの処理を行ったりした布材などであってもよい。本実施形態における指腹部１６０が、特許請求の範囲における第一面部とされている。また、本実施形態における指甲部１７０が、特許請求の範囲における第二面部とされている。
【００９５】
なお、本実施形態では、図１０（ａ）に示すように指サック１００の前後方向の長さ（指先が伸びる方向の長さ）が、人差し指の指元から指先までの長さと略同一である例に適用して説明を行ったが、指サック１００の長さは、特にこれに限定される訳ではない。指サック１００の長さは、側面部１６２が人差し指の指先側の側面を少なくとも覆う様に構成されていれば、任意の長さでよい。例えば指サック１００の長さが、使用者の手指の第１関節から爪先を覆う長さであったり、他の任意の長さであったりしても構わない。
【００９６】
上記の構成からなる指サック１００によれば、手指の掌側を覆う部分が、摩擦抵抗の大きな布材によって構成されている。このため、指サックを装着した状態でも、接触した物が滑りにくいため、物を掴んだりあるいは紙などの部材をめくったりという作業が行い易い。また、手指の指先側の指先側の側面を覆う部分も、摩擦抵抗の大きな布材によって構成されているため、例えば紙をめくる際などに行われる、指をねじる様な作業も行い易い。また、他の部分は、通気性のよい布材を用いているため、通気性がよく安価な指サックを提供できる。また、指サック１００は、必要な手指にのみ装着するものであるため、手袋と比較して圧迫感を感じることが少なく使用することができる。
【００９７】
なお、本発明に係る指サックは、大きな摩擦抵抗を有する布材によって使用者の手指の掌側の面の指先側、及び手指の側面の指先側の少なくとも一部が覆われていればよく、その構成は上記に限定される訳ではない。以下、図１０（ｂ）を参照して、本実施形態の変形例に係る指サック１１０について具体的に説明する。本変形例に係る指サック１１０は、指先側部１６５と指元側部１７５から構成されている。指元側部１７５は、柔軟性があって通気性の良い布材から構成されており、指先側部１６５は指元側部１７５の布材よりも大きな摩擦抵抗を有する布材から構成されている。
【００９８】
指先側部１６５は、指サック１１０が装着される手指の掌側の面の指先側の部分を覆う指腹部１６７と、手指の指先側の両側の側面を少なくとも覆う側面部１６９から構成されている。本実施形態では、この側面部１６９が手指の手の甲側まで延び、手指の手の甲側の面も覆う様に構成されている例に適用して以降の説明を行う。即ち、指先側部１６５は、手指の指先の全体を覆う様に形成されている例に適用して説明を行う。なお、手指の指先側の手の甲側の面が他の布材が覆う様に構成されていても構わない。また、本実施形態では、図１０（ｂ）に示す様に指先側部１６５が、手指の指先から、その第１関節に相当する部分までの間を覆う様に構成されている例に適用して説明を行う。なお、指先側部１６５が手指を覆う範囲の前後方向の長さは、使用者が作業を行いやすい長さであれば任意でよく、手指の指先から、その第１関節に相当する部分までの長さよりも短くても、長くてもよい。
【００９９】
指元側部１７５は、指サック１１０が装着される手指の手の甲側の面の指先側の部分を覆う指腹部１７７と、手指の指先側の両側の側面を少なくとも覆う側面部１７９から構成されている。本実施形態では、この側面部１７９が、手指の指腹側まで延び、手指の指腹側の面も覆う様に構成されている例に適用して以降の説明を行う。即ち、指元側部１７５は、手指の指元側の部分全体を覆う様に形成されている例に適用して以降の説明を行う。なお、手指の指腹側の面の指元側の部分を他の布材が覆う様に構成されていても構わない。また、本実施形態では、図１０（ｂ）に示す様に、指元側部１７５が、手指の指元の付近から、手指の第１関節に相当する部分までの間を覆う様に構成されている例に適用して説明を行う。
【０１００】
指先側部１６５と指元側部１７５は、それぞれが接する境目にて、縫製などの公知の方法により一体に形成されている。なお、指元側部１７５が手指を覆う範囲の前後方向の長さは、使用者が作業を行いやすく指サック１１０が脱げにくい程度の長さであれば任意でよく、例えば指元側部１７５が、指先側部１６５との境目から手指の第二関節までの範囲を覆う長さであってもよく、それよりも短くても、あるいは長くてもよい。本実施形態における指先側部１６５が、特許請求の範囲における第１面部とされている。また、指元側部１７５が、特許請求の範囲における第２面部とされている。
【０１０１】
この様にされた指サック１１０であれば、手指の指先側の掌側の面、及びその側面が摩擦抵抗の大きな布材によって構成されている。このため、指サックを装着した状態でも、接触した物が滑りにくいため、物を掴んだりあるいは紙などの部材をめくったりという作業が行い易い。また、その構成は指サック１００と比べて簡易なものであるため、容易な方法で安価に製造することも可能である。また、指サック１１０は、必要な手指にのみ装着するものであるため、手袋と比較して圧迫感を感じることなく使用することができる。
【０１０２】
なお、本発明の技術範囲は上記実施形態に限定されるものではなく、本発明の趣旨を逸脱しない範囲において種々の変更を加えることが可能であり、上記実施形態を適宜組み合わせた実施形態に適用してもよく、特に限定するものではない。
【符号の説明】
【０１０３】
１，１Ａ，１Ｂ，１Ｃ，１Ｄ・・・手袋    ２・・・手指部    ３・・・親指部
４・・・掌側部    ５・・・甲側部    ６・・・指腹部    ７・・・指甲部
１０・・・開口部    １１・・・指先部    １２，１３，１４・・・線状部
２０・・・固定部    ２１・・・辺    ２２，２３・・・貼付部
３０・・・指先部    ３２・・・爪部    ３５，３７・・・指腹先部
４０・・・先部    ６１・・・手指掌側部    ６２・・・側面部
７１・・・手指甲側部    ７２・・・側面部    １００・・・指サック
１１０・・・指サック    １６０・・・指腹部    １６１・・・手指掌側部
１６２・・・側面部    １６５・・・指先側部    １６７・・・指腹部
１６９・・・側面部    １７０・・・指甲部    １７１・・・手指甲側部
１７２・・・側面部    １７５・・・指元側部    １７７・・・指腹部
１７９・・側面部    １８０・・・左側面部    ２００・・・開口部
【図１】
2019112741.tif 000003
【図２】
2019112741.tif 000004
【図３】
2019112741.tif 000005
【図４】
2019112741.tif 000006
【図５】
2019112741.tif 000007
【図６】
2019112741.tif 000008
【図７】
2019112741.tif 000009
【図８】
2019112741.tif 000010
【図９】
2019112741.tif 000011
【図１０】
2019112741.tif 000012